(57)【特許請求の範囲】
【請求項１】
所与のプリンタの着色剤の色特性とは別に外部定義される４色着色剤（ＣＭＹＫ）のセットを、所与のプリンタの色成分を有する４色着色剤を使用して等価な４色着色剤（Ｃ’Ｍ’Ｙ’Ｋ’）のセットに変換する方法であって、
前記プリンタによる第４の色成分（Ｋ’）の割合の変更された印刷出力パッチの被測定Ｌ*値と、Ｃ＝０、Ｍ＝０及びＹ＝０時の前記外部定義４色着色剤の第４の成分の外部定義Ｌ*値を公表テーブルの値を参照して決定し、前記プリンタの前記第４の成分の割合を、前記決定された公表テーブルにより取得されたＬ*値にもとづき、前記外部定義４色着色剤の前記第４の色成分の割合にマップするステップと、
前記マップ化された値Ｋ’1、Ｋ’2、．．．、Ｋ’nからの前記第４の着色剤の割合Ｋ’iを有するＣｐ’Ｍｐ’Ｙｐ’の所定の割合の色パッチを印刷し、前記色パッチの色値（Ｌ*ａ*ｂ*）ｐを測定し、逆変換及び補間アルゴリズムを使用することにより、各Ｋ’iにおける、（Ｃ’Ｍ’Ｙ’）ｋ’iと前記色値（Ｌ*ａ*ｂ*）ｋ’iとの間で前記プリンタの色分解能について対応関係を確立するステップと、
複数のＫi値及び等価なＫ’i値に対して、前記外部定義４色着色剤（ＣＭＹ）ｋを、前記プリンタの前記等価（Ｃ’Ｍ’Ｙ’）ｋ’へと、（ＣＭＹ）ｋ及び（Ｃ’Ｍ’Ｙ’）ｋ’のＬ*ａ*ｂ*値が一致するように相関付けるステップと、
前記複数のＫi値及び等価なＫ’i値に対して、前記外部定義４色着色剤（ＣＭＹ）ｋを、前記プリンタの前記等価（Ｃ’Ｍ’Ｙ’）ｋ’へと相関付けた結果から、前記外部定義の第４の着色剤を有する前記外部定義の３つの着色剤（ＣＭＹ）の組み合わせのＬ*ａ*ｂ*値に一致する決定されたＬ*ａ*ｂ*値を与える前記プリンタの前記３つの色成分の組み合わせを決定することにより、前記外部定義４色着色剤（ＣＭＹＫ）を、前記プリンタの４色着色剤（Ｃ’Ｍ’Ｙ’Ｋ’）に変換するステップと
を含む、方法。
【請求項２】
所与のプリンタの着色剤の色特性とは別に外部定義される４色着色剤（ＣＭＹＫ）のセットを、所与のプリンタの色成分を有する４色着色剤を使用して等価な４色着色剤（Ｃ’Ｍ’Ｙ’Ｋ’）のセットに変換するシステムであって、
前記プリンタによる第４の色成分（Ｋ’）の割合の変更された印刷出力パッチの被測定Ｌ*値と、Ｃ＝０、Ｍ＝０及びＹ＝０時の前記外部定義４色着色剤の第４の成分の外部定義Ｌ*値を公表テーブルの値を参照して決定し、前記プリンタの前記第４の成分の割合を、前記決定された公表テーブルにより取得されたＬ*値にもとづき、前記外部定義４色着色剤の前記第４の色成分の割合にマップする手段と、
前記マップ化された値Ｋ’1、Ｋ’2、．．．、Ｋ’nからの前記第４の着色剤の割合Ｋ’iを有するＣｐ’Ｍｐ’Ｙｐ’の所定の割合の色パッチを印刷し、前記色パッチの色値（Ｌ*ａ*ｂ*）ｐを測定し、逆変換及び補間アルゴリズムを使用することにより、各Ｋ’iにおける、（Ｃ’Ｍ’Ｙ’）ｋ’iと前記色値（Ｌ*ａ*ｂ*）ｋ’iとの間で前記プリンタの色分解能について対応関係を確立し、複数のＫi値及び等価なＫ’i値に対して、前記外部定義４色着色剤（ＣＭＹ）ｋを、前記プリンタの前記等価（Ｃ’Ｍ’Ｙ’）ｋ’へと、（ＣＭＹ）ｋ及び（Ｃ’Ｍ’Ｙ’）ｋ’のＬ*ａ*ｂ*値が一致するように相関付ける手段と、
前記複数のＫi値及び等価なＫ’i値に対して、前記外部定義４色着色剤（ＣＭＹ）ｋを、前記プリンタの前記等価（Ｃ’Ｍ’Ｙ’）ｋ’へと相関付けた結果から、前記外部定義の第４の着色剤を有する前記外部定義の３つの着色剤（ＣＭＹ）の組み合わせのＬ*ａ*ｂ*値に一致する決定されたＬ*ａ*ｂ*値を与える前記プリンタの前記３つの色成分の組み合わせを決定することにより、前記外部定義４色着色剤（ＣＭＹＫ）を、前記プリンタの４色着色剤（Ｃ’Ｍ’Ｙ’Ｋ’）に変換する手段と
を含む、システム。
【請求項３】
前記相関付ける手段が、前記プリンタの前記等価な第４の成分の可変の割合を有する、前記３つの着色剤成分の可変の割合の所定の組み合わせの印刷済みパッチの被測定色値にもとづく、請求項２記載のシステム。
【請求項４】
前記プリンタにより印刷出力された可変の割合の前記第４の着色剤の前記被測定色値がＬ*値であり、前記整合される色値がＬ*ａ*ｂ*値である、請求項２記載のシステム。
【請求項５】
前記第４の成分が黒である、請求項２記載のシステム。
【請求項６】
所与のプリンタの着色剤の色特性とは別に外部定義される４色着色剤（ＣＭＹＫ）のセットを、所与のプリンタの色成分を有する４色着色剤を使用して等価な４色着色剤（Ｃ’Ｍ’Ｙ’Ｋ’）のセットに変換する印刷システムであって、
前記プリンタによる第４の色成分（Ｋ’）の割合の変更された印刷出力パッチの被測定Ｌ*値と、Ｃ＝０、Ｍ＝０及びＹ＝０時の前記外部定義４色着色剤の第４の成分の外部定義Ｌ*値を公表テーブルの値を参照して決定し、前記プリンタの前記第４の成分の割合を、前記決定された公表テーブルにより取得されたＬ*値にもとづき、前記外部定義４色着色剤の前記第４の色成分の割合にマップする手段と、
前記マップ化された値Ｋ’1、Ｋ’2、．．．、Ｋ’nからの前記第４の着色剤の割合Ｋ’iを有するＣｐ’Ｍｐ’Ｙｐ’の所定の割合の色パッチを印刷し、前記色パッチの色値（Ｌ*ａ*ｂ*）ｐを測定し、逆変換及び補間アルゴリズムを使用することにより、各Ｋ’iにおける、（Ｃ’Ｍ’Ｙ’）ｋ’iと前記色値（Ｌ*ａ*ｂ*）ｋ’iとの間で前記プリンタの色分解能について対応関係を確立し、複数のＫi値及び等価なＫ’i値に対して、前記外部定義４色着色剤（ＣＭＹ）ｋを、前記プリンタの前記等価（Ｃ’Ｍ’Ｙ’）ｋ’へと、（ＣＭＹ）ｋ及び（Ｃ’Ｍ’Ｙ’）ｋ’のＬ*ａ*ｂ*値が一致するように相関付ける手段と、
前記複数のＫi値及び等価なＫ’i値に対して、前記外部定義４色着色剤（ＣＭＹ）ｋを、前記プリンタの前記等価（Ｃ’Ｍ’Ｙ’）ｋ’へと相関付けた結果から、前記外部定義の第４の着色剤を有する前記外部定義の３つの着色剤（ＣＭＹ）の組み合わせのＬ*ａ*ｂ*値に一致する決定されたＬ*ａ*ｂ*値を与える前記プリンタの前記３つの色成分の組み合わせを決定することにより、前記外部定義４色着色剤（ＣＭＹＫ）を、前記プリンタの４色着色剤（Ｃ’Ｍ’Ｙ’Ｋ’）に変換する手段と、を含む、印刷システム。
【請求項７】
前記相関付ける手段が、前記プリンタの前記等価な第４の成分の可変の割合を有する、前記３つの着色剤成分の可変の割合の所定の組み合わせの印刷済みパッチの被測定色値にもとづく、請求項６記載のシステム。
【請求項８】
前記プリンタにより印刷出力された可変の割合の前記第４の着色剤の前記被測定色値がＬ*値であり、前記整合される色値がＬ*ａ*ｂ*値である、請求項６記載のシステム。
【請求項９】
前記第４の成分が黒である、請求項６記載のシステム。
【請求項１０】
所与のプリンタの着色剤の色特性とは別に外部定義される４色着色剤（ＣＭＹＫ）のセットを、所与のプリンタの色成分を有する４色着色剤を使用して等価な４色着色剤（Ｃ’Ｍ’Ｙ’Ｋ’）のセットに変換する方法をコンピュータ・システムに実行させるプログラムを記録したコンピュータ可読な記憶媒体であって、前記コンピュータ・システムに対して、
前記プリンタによる第４の色成分（Ｋ’）の割合の変更された印刷出力パッチの被測定Ｌ*値と、Ｃ＝０、Ｍ＝０及びＹ＝０時の前記外部定義４色着色剤の第４の成分の外部定義Ｌ*値を公表テーブルの値を参照して決定し、前記プリンタの前記第４の成分の割合を、前記決定された公表テーブルにより取得されたＬ*値にもとづき、前記外部定義４色着色剤の前記第４の色成分の割合にマップするステップと、
前記マップ化された値Ｋ’1、Ｋ’2、．．．、Ｋ’nからの前記第４の着色剤の割合Ｋ’iを有するＣｐ’Ｍｐ’Ｙｐ’の所定の割合の色パッチを印刷し、前記色パッチの色値（Ｌ*ａ*ｂ*）ｐを測定し、逆変換及び補間アルゴリズムを使用することにより、各Ｋ’iにおける、（Ｃ’Ｍ’Ｙ’）ｋ’iと前記色値（Ｌ*ａ*ｂ*）ｋ’iとの間で前記プリンタの色分解能について対応関係を確立するステップと、
複数のＫi値及び等価なＫ’i値に対して、前記外部定義４色着色剤（ＣＭＹ）ｋを、前記プリンタの前記等価（Ｃ’Ｍ’Ｙ’）ｋ’へと、（ＣＭＹ）ｋ及び（Ｃ’Ｍ’Ｙ’）ｋ’のＬ*ａ*ｂ*値が一致するように相関付けるステップと、
前記複数のＫi値及び等価なＫ’i値に対して、前記外部定義４色着色剤（ＣＭＹ）ｋを、前記プリンタの前記等価（Ｃ’Ｍ’Ｙ’）ｋ’へと相関付けた結果から、前記外部定義の第４の着色剤を有する前記外部定義の３つの着色剤（ＣＭＹ）の組み合わせのＬ*ａ*ｂ*値に一致する決定されたＬ*ａ*ｂ*値を与える前記プリンタの前記３つの色成分の組み合わせを決定することにより、前記外部定義４色着色剤（ＣＭＹＫ）を、前記プリンタの４色着色剤（Ｃ’Ｍ’Ｙ’Ｋ’）に変換するステップと
を実行させるプログラムを記憶した、コンピュータ可読な記憶媒体。
【請求項１１】
前記相関付ける手段が、前記プリンタの前記等価な第４の成分の可変の割合を有する、前記３つの着色剤成分の可変の割合の所定の組み合わせの印刷済みパッチの被測定色値にもとづく、請求項１０記載の記憶媒体。
【請求項１２】
前記プリンタにより印刷出力された可変の割合の前記第４の着色剤の前記被測定色値がＬ*値であり、前記整合される色値がＬ*ａ*ｂ*値である、請求項１０記載の記憶媒体。
【請求項１３】
前記第４の成分が黒である、請求項１０記載の記憶媒体。
【発明の詳細な説明】
【０００１】
【発明の属する技術分野】
本発明は色印刷に関し、特に、標準のまたは別のプリンタにおいて定義された４次元色（ＣＭＹＫ）を、実際に印刷を行うプリンタに固有に関連付けられる色（すなわちインク、トナーなど）に関して定義される等価な４次元色に変換することに関する。
【０００２】
【関連技術】
本願は、本願と同日に出願され、本願の出願人に権利譲渡される係属中の米国特許出願（内部的ドケット番号BO9-96-020：米国特許出願番号は第０８／８２３５９６号）"A System、Method、and Program For Converting Three Dimensional Colorants To More Than Three Dimensional Colorants"（以下関連特許出願１として参照）に関連する。パテントファミリーとしての対応日本国特許出願の発明の名称は、「３次元着色剤を４次元以上の着色剤に変換するシステム、方法及びプログラム製品」である。
【０００３】
本願は、本願と同日に出願され、本願の出願人に権利譲渡される係属中の米国特許出願（内部的ドケット番号BO9-96-018：米国特許出願番号は第０８／８２３５９７号）"A System、Method、and Program For Converting An Externally Defined Four Dimensional Colorant（CMYK）Into An Equivalent Four Dimensional Colorant Defined In Terms Of The Four Inks（C'M'Y'K'）That Are Associated With A Given Printer"（以下関連特許出願２として参照）に関連する。パテントファミリーとしての対応日本国特許出願の発明の名称は、「外部定義される着色剤（ＣＭＹＫ）を、所与のプリンタに対応付けられる４つのインク（Ｃ'Ｍ'Ｙ'Ｋ'）に関する等価な４次元以上の着色剤に変換するシステム、方法及びプログラム製品」である。
【０００４】
本願は、本願と同日に出願され、本願の出願人に権利譲渡される係属中の米国特許出願（内部的ドケット番号AM9-97-026：米国特許出願番号は第０８／８２３７３４号）"A System、Method、and Program For Converting An Externally Defined Four Dimensional Colorant（CMYK）Into Equivalent Four Dimensional Colorant Defined In Terms Of The Four Inks（C'M'Y'K'）That Are Associated With A Given Printer By Using A Three Dimensional To Four Dimensional Conversion Process"（以下関連特許出願３として参照）に関連する。パテントファミリーとしての対応日本国特許出願の発明の名称は、「３次元−４次元変換プロセスにより、外部定義４次元着色剤（ＣＭＹＫ）を、所与のプリンタに対応付けられる４つのインク（Ｃ'Ｍ'Ｙ'Ｋ'）に関して定義される等価な４次元着色剤に変換するシステム、方法及びプログラム製品」である。
【０００５】
【従来の技術】
表示モニタなどで使用される加色法（additive color process）では、赤、緑及び青が原色である。理論的には、赤、緑及び青の光の様々な組み合わせによる混合が任意の色を生成する。例えば、シアンは緑と青の混合であり、マゼンタは赤と青の混合である。黒は赤、緑または青のいずれかの欠如であり、一方、白は３つの全てを含む。表示モニタは光の加法プロセス（additive process）を含み、従ってそれが生成する任意の色は、赤（Ｒ）、緑（Ｇ）及び青（Ｂ）により定義され得る。
【０００６】
印刷プロセスでは、インクは通常、既に十分な量の赤、緑及び青を反射する白紙上に付着される。赤、緑及び青（ＲＧＢ）を一緒に加え、任意の色を生成する代わりに、赤、緑及び青の量が除去されることにより所望の色が生成される。これを実施するために個々の原色をフィルタリングする一方で、他の２つには影響を与えないフィルタまたはインクが生成されなければならない。これを達成するフィルタ色は、原色の補色の色である。例えば黄は青の補色である。青い光を遮断する青フィルタは、赤及び緑の光を通過し、従って黄色として現れる。黄色のインクは青を除去するインクと見なされる。従って、青の補色は黄色である。同様に赤の補色はシアンであり、緑の補色はマゼンタである。それ故、シアン、マゼンタ及び黄色は減色体系における原色であり、印刷業界ではプロセス・カラーとして知られている。
【０００７】
理論的には、インクの３つの色、すなわちシアン（Ｃ）、マゼンタ（Ｍ）及び黄色（Ｙ）によりプリンタは任意の色を印刷することができる。白は紙面上にインクを配置しないことにより獲得でき、黒はシアン、マゼンタ及び黄色を紙面上に配置し、全ての光を遮ることにより獲得できる。しかしながら、現実的には、シアン、マゼンタ及び黄色を紙面上に配置する時に獲得される色は、純粋な黒ではなく茶色味を帯びていたりする。結果的に、通常、印刷用のプロセス・カラーのセットに黒インクが追加される。黒インクはより鮮やかな黒色を保証するだけでなく、大部分の色を生成するために使用されなければならないインクの量を低減する。例えば紙面上の任意の場所に、ある量のＣ、Ｍ及びＹが配置される場合、除去されて黒により置換され得るグレイ成分が存在する。このことは紙面上のインクの総量を低減し、より良好なグレイ及び黒を生成する。更に色セットの色域を増加する。
【０００８】
黒置換またはグレイ成分除去と呼ばれるこのプロセスの理論的な例として、ある色がシアン＝２０％、マゼンタ＝４０％、黄色＝６０％を要求する場合を考えてみよう。
【０００９】
理論上、前記の色は２０％のグレイ成分を最小公分母として有する。それ故、各色の２０％が除去され、２０％の黒により置換され得る。従って、次の新たな色混合、すなわちシアン＝０％、マゼンタ＝２０％、黄色＝４０％、黒＝２０％が、理論的に同一の色を生成する。
【００１０】
上述の例では、１２０単位のインクが８０単位のインクにより置換される。従ってインクが節約される。色インクは通常、黒インクよりも高価であり、それ故一層の節約が達成される。
【００１１】
上述のように、色は幾つかの方法で表現され得る。ある色はＲＧＢ（赤、緑、青）、ＣＭＹ（シアン、マゼンタ、黄色）、またはＣＭＹＫ（シアン、マゼンタ、黄色、黒）の割合により表現され得る。これらの色空間（このように呼ばれる）のいずれも、それぞれの組み合わせを混合することにより何色が生成されるかに関しては定義されない。一般に、これらの色空間は装置依存（device dependent）と呼ばれる。なぜなら、あるプリンタにおいて所与のＣＭＹＫ混合により生成される色は、別のプリンタにおいては同一の色を生成しないからである。
【００１２】
米国において色が予測され得るように、プロセス・カラー・インクを標準化する試みが成されてきた。プロセス・インク色を標準化するＳＷＯＰ（Specification for Web Offset Publication）と呼ばれる規格が公開された。最近、この規格は更に改良され、どのような色が装置独立の色空間（ＣＩＥ  ＸＹＺまたはＣＩＥ  Ｌ*ａ*ｂ*）になるかに関して、ＣＭＹＫの９２８の組み合わせが定義された。ヨーロッパでは、Euroscaleと呼ばれる規格が４つの異なる紙面に対して開発された。ＳＷＯＰ及びEuroscaleは非常に似通ったものであるが厳密には同一でない。
【００１３】
１９３１年に、ＣＩＥ（Commission Internationale L'Eclairge（国際照明委員会））と称される組織が、装置独立の色すなわち人の視覚にもとづく色の体系を確立しようとして会合した。ＲＧＢを定義しようとする一方で問題が生じ、ＣＩＥ  ＸＹＺまたはＸＹＺと呼ばれる色空間を生成したマトリックス変換を通じて、データを処理するようにメンバを説得させた。ＸＹＺ色空間は人の色に対する知覚にもとづくので、任意の２つの色はたとえそれらの色のスペクトルが異なっていても、ＸＹＺ値が所与の照明条件の下で同一である場合、人により同一の色として知覚される。
【００１４】
ＸＹＺ色空間から追加の色空間が導出された。これらの１つはＣＩＥＬ*ａ*ｂ*と呼ばれ、Ｃ  ＬａｂまたはＣ  Ｌ*ａ*ｂ*と発音される。この色空間は、光源または紙のＸＹＺを言及する色のＸＹＺにもとづく。ＳＷＯＰ規格などのほとんどの仕様が、日光Ｄ５０などの光源の下でＸＹＺ及びＬ*ａ*ｂ*に関して指定される。これは各色がＬ*、ａ*及びｂ*に関して指定される３成分色空間である。Ｌ*は明度を指定し、色相及び彩度がａ*及びｂ*の値から決定される。
【００１５】
前述のように、表示モニタは光の加法プロセスを含み、従って、それが生成する任意の色がＲＧＢに関して定義される。しかしながら、印刷プロセスは減法プロセスである。なぜならそれは白紙上への印刷であり、従って、カラー・プリンタが、シアン（Ｃ）、マゼンタ（Ｍ）及び黄色（Ｙ）、またはシアン、マゼンタ、黄色及び黒（Ｋ）、すなわちＣＭＹまたはＣＭＹＫを用いて様々な色を生成するからである。しかしながら、表示モニタ、スキャナ、または画像を印刷するために使用される他の情報などの入力ファイルは、通常、ＲＧＢを用いて定義される。一部の入力ファイルは、ＸＹＺ及びＬ*ａ*ｂ*などの装置独立の用語により定義され得る。従って、入力ファイルのＲＧＢ、ＸＹＺまたはＬ*ａ*ｂ*を、印刷用のＣＭＹまたはＣＭＹＫに変換するための変換プロセスが実施される必要がある。
【００１６】
入力ファイルがＲＧＢ、ＸＹＺ、またはＬ*ａ*ｂ*の場合、これはＣＭＹまたはＣＭＹＫに変換されなければならない。入力ファイルがＣＭＹの場合、プリンタはＣＭＹにより印刷することができるが、ＣＭＹＫを用いて印刷する方がより好ましい。入力ファイルがＣＭＹＫの場合、変換は不要である。
【００１７】
３Ｄ−３Ｄ変換：
３Ｄ色テーブル（ＣＭＹ−Ｌ*ａ*ｂ*など）及び３Ｄ色空間の間の変換は、直接的で明白であるか、プリンタの色域内で固有である。従って、逆変換（例えばＬ*ａ*ｂ*−ＣＭＹなど）が使用可能である。これらの技法は、指定間隔での様々な色量の色パッチ（例えば９×９×９マトリックス、すなわち７２９パッチを生成する）の計測を含み、これはすなわち、ＣＭＹ格子及び対応するＬ*ａ*ｂ*（または他の色空間）格子（ここでの例ではＣＭＹ９×９×９に対応）を形成する。これらの基本格子は（ＣＭＹ）ｐ及び（Ｌ*ａ*ｂ*）ｐにより示される。補間法が、これらの格子内のポイント間の１対１の対応を確立するために使用される。こうした補間アルゴリズムを用いて、いわゆる"演色辞書（color rendering dictionary）"が構成される。こうした演色辞書が確立されると、所与のＬ*ａ*ｂ*値に対するＣＭＹを見い出すことがより単純なタスクとなる。
【００１８】
Ｌ*ａ*ｂ*−ＣＭＹ変換：
装置依存の色空間の座標はＬ*ａ*ｂ*内で指定される。しかしながら、プリンタは通常、ＣＭＹ色を使用する。従って、Ｌ*ａ*ｂ*からＣＭＹへの変換が必要である。ＣＭＹへの変換は、３次元（３Ｄ）から３次元（３Ｄ）への変換プロセスを含む。公知の方法が、Ｌ*ａ*ｂ*−ＣＭＹ変換などの３Ｄ−３Ｄ変換を実行するために使用される。
【００１９】
例えば、Ｌ*ａ*ｂ*−ＣＭＹ変換は、変換が所望されるプリンタによる印刷サンプル・パッチの作成を含む。印刷パッチはＣ、Ｍ及びＹの組み合わせから成る。通常、それぞれに対して、９個のパッチが存在し（７２９個のパッチを有する９×９×９のサンプル・レイアウトを形成する）、各色は０％、１２．５％、３７．５％、５０％、６２．５％、７５％、８７．５％及び１００％である。７２９個のパッチの各々に対して、シアン、マゼンタ及び黄色の厳格な割合が知れている。従って、各印刷サンプルすなわちパッチが測定され、そのＣＩＥ  Ｌ*ａ*ｂ*が計算される。対応するＬ*ａ*ｂ*値を有する様々な割合のＣＭＹを含むテーブルが生成される。Ｌ*ａ*ｂ*の等しい増分により、Ｃ、Ｍ及びＹを表現するために、既知の逆変換及び補間技術が使用される。入力として受信される所与のＬ*ａ*ｂ*値に対して、Ｌ*ａ*ｂ*値がテーブル内に配置され、対応するＣＭＹの割合が見出される。同一のＬ*ａ*ｂ*値がテーブル内に存在しない場合、補間が使用されるか、色域外（out-of-gamut）マッピングが使用される。色域外マッピングは、Ｌ*ａ*ｂ*値がプリンタが生成可能な色のボリュームまたは色空間を越える場合、発生する。このボリューム内に入る任意のＬ*ａ*ｂ*値はプリンタにより実際に正確に再生され得るものである。任意の所与のプリンタはその限界を有し、あらゆる可能な色を印刷できないので、色域外は所与のＬ*ａ*ｂ*がプリンタの能力外であることを意味する。多くの公知の色域外マッピング技術が存在する。基本的に、これらの技術はプリンタの色ボリュームの表面上の、最も近い色合わせポイントに達しようとする。
【００２０】
ＲＧＢ−ＣＭＹ変換：
ＲＧＢからＣＭＹへの変換は、単に補色間の関係を表現するプロセスを含むだけである。減法混色の原色すなわちシアン、マゼンタ及び黄色は、加法混色の原色の赤、緑及び青の補色である。従って、理論的には変換は次のようになる。
【数１】
シアン＝１．０−赤
マゼンタ＝１．０−緑
黄色＝１．０−青
【００２１】
例えば、０．２赤、０．７緑及び０．４青の各色は、それぞれ１．０−０．２＝０．８シアン、１．０−０．７＝０．３マゼンタ及び１．０−０．４＝０．６黄色として表現することができる。
【００２２】
３Ｄ−４Ｄ変換：
【００２３】
ＣＭＹ−ＣＭＹＫ変換：
ＣＭＹからＣＭＹＫへの変換は、黒生成及び黒成分を生成するための下色除去を使用する。下色除去は、黒生成により加えられた黒の量を補正するために、シアン、マゼンタ及び黄色成分の量を低減する。使用される黒の割合は、シアン、マゼンタまたは黄色により使用される最小の割合である。次に使用されるＣＭＹの変更された量は、元の量から黒に対して使用される割合量を減算したものである。
【００２４】
例えば、ＣＭＹとして定義される入力ファイルに対してＣ'Ｍ'Ｙ'Ｋ'への変換は次のようである。
【数２】
Ｋ＝ｍｉｎ（Ｃ、Ｍ、Ｙ）
Ｃ'＝Ｃ−Ｋ
Ｍ'＝Ｍ−Ｋ
Ｙ'＝Ｙ−Ｋ
【００２５】
この変換においてインクは完全な染料と見なされる。等しい量のＣＭＹの混合は、黒または完全なグレイ、すなわち黒染料を生成する。上述の説明はＣＭＹからＣＭＹＫへの１つの変換方法を示す。
【００２６】
ＣＭＹからＣＭＹＫへの変換の副作用は、色相の損失により、色域すなわち生成される色の数（色空間）が低減され得ることである。この副作用は下色追加プロセスを使用することにより補正され得る。下色追加プロセスは失われた色相を取り戻し、色域を拡張する。このプロセスは、Ｃ''Ｍ''Ｙ''Ｋ''として以下で示されるＣＭＹＫの新たな割合を生じる。プロセスは古典理論に由来する次に示す公知の公式を使用する。
【数３】
Ｃ''＝Ｃ'／（１−Ｋ）＝（Ｃ−Ｋ）／（１−Ｋ）
Ｍ''＝Ｍ'／（１−Ｋ）＝（Ｍ−Ｋ）／（１−Ｋ）
Ｙ''＝Ｙ'／（１−Ｋ）＝（Ｙ−Ｋ）／（１−Ｋ）
Ｋ''＝Ｋ'＝Ｋ
【００２７】
ＲＧＢ−ＣＭＹＫ変換：
ＲＧＢ−ＣＭＹ変換及びＣＭＹ−ＣＭＹＫ変換を含むプロセスの組み合わせが、ＲＧＢからＣＭＹＫへの変換のために使用され得る。
【００２８】
Ｌ*ａ*ｂ*−ＣＭＹＫ変換：
この変換はＬ*ａ*ｂ*からＣＭＹへの変換のために、上述の３Ｄ補間技法及び色域外マッピング技法を含む。そして、この変換はＣＭＹパッチ（例えば９×９×９）の生成、Ｌ*ａ*ｂ*値の測定、及び必要に応じて所与のＬ*ａ*ｂ*入力値に対するＣＭＹ値を獲得するための補間を含んだ。次に、ＣＭＹからＣＭＹＫへの変換のための前記のプロセスが使用され得る。
【００２９】
前記の変換プロセス、特にＣＭＹからＣＭＹＫへの変換、すなわち３Ｄから４Ｄへの変換に関わる問題は、これらのプロセスが理論的な色及び色関係にもとづいていることである。しかしながら、プリンタはこうした理論的な色を生成することができないかも知れない。
【００３０】
更に、プリンタは通常、印刷のためにＣＭＹＫの４色を有するが、入力ファイルは通常、３色値（例えばＲＧＢ、Ｌ*ａ*ｂ*）を用いて定義されるので、３原色の組み合わせにより獲得されるあらゆる色に対して、３色よりも多い等価な色セットが見い出されなければならない。３次元系から４次元以上への変換は固有の解法を提供しない。上述の公知の単純な技法は、黒染料として知られる理想的な染料にもとづき、これはＣ、Ｍ及びＹから等量が所与の領域上に加え刷りされる場合、常に完全な黒またはグレイ（ｗ／ｏ色相）を生成する。従って、３原色の任意の所与のセットに対して色値を変化させること無く、各色成分から等量が除去され、同量の黒が追加され得る。節約されるインクの量は追加される黒の量の２倍である。置換されるＣＭＹの量は、０から３つの着色剤の最低値まで変化し得、この事実はこのプロセスが固有でないことを示す。実際の着色剤では、等量の３つの着色剤の組み合わせは、理想的なグレイ／黒を生成しない。従って、黒置換の選択は曖昧になる。
【００３１】
前記関連特許出願１は、３つの着色剤を４つ以上の着色剤に変換する技術を開示する。この技術は、所与のプリンタが実際に印刷できる色及び色のＬ*ａ*ｂ*値を考慮する。この技術はまた、曖昧でない第４の色置換割合量を生じる第４の色置換プロセスを使用する。
【００３２】
状況によっては、４色組み合わせ（ＣＭＹＫ）を、同一色の等価な４色組み合わせ（ＣＭＹＫ）に変換することが望ましい。例えば印刷機業界は、ＣＭＹＫに対する彼ら独自の規格及び仕様（例えばＳＷＯＰ規格）を有する。ＣＭＹＫの各異なる規格及び仕様は、同一の割合量のＣＭＹＫに対して異なるＬ*ａ*ｂ*値を生じる。更に、ある規格により定義される所与のＣＭＹＫ組み合わせに対するＬ*ａ*ｂ*値は、任意の所与のプリンタにより印刷される同一のＣＭＹＫ組み合わせに対するものと異なる。これはプリンタにより使用される様々なトナーまたはインクが、それら独自の異なるＬ*ａ*ｂ*値を生成することによる。異なる公式化を有するトナー及びインクは異なるＬ*ａ*ｂ*値を生成する。印刷を行うプリンタの色の特性を考慮しない特定の色値（例えばＬ*ａ*ｂ*値）を有するように指定される任意の色組み合わせ（例えばＣＭＹＫ）を、ここでは"外部定義される"として、参照することにする。例えば、外部定義される色組み合わせ（例えばＣＭＹＫ）は、ＳＷＯＰ規格または任意の他の規格により指定されたり、或いは別のプリンタの特性（インク／トナー）により指定され得る（校正刷りアプリケーションのために実施される）。多くの場合、４次元着色剤（ＣＭＹＫ）が外部定義されるプリンタ・ジョブが受信される。従って、印刷を行うプリンタは受信される外部定義されるＣＭＹＫ値を、所与のプリンタの色（すなわちインク、トナーなど）及び能力を考慮した等価なＣＭＹＫ値に変換しなければならない。プリンタのＣＭＹＫ（Ｃ'Ｍ'Ｙ'Ｋ'）は、Ｌ*ａ*ｂ*値が同一であれば、外部定義されるＣＭＹＫと等価である。
【００３３】
従って、外部定義されるＣＭＹＫをその対応するＬ*ａ*ｂ*値に変換し、これらのＬ*ａ*ｂ*値を用いて、所与のプリンタにおける等価なＣ'Ｍ'Ｙ'Ｋ'組み合わせを見い出すことが望まれる。この変換は次のように示される。
【数４】
（ＣＭＹＫ）STD  →（Ｌ*ａ*ｂ*）STD  ＝（Ｌ*ａ*ｂ*）PRTR  →（Ｃ'Ｍ'Ｙ'Ｋ'）PRTR
【００３４】
問題は、Ｌ*ａ*ｂ*からＣＭＹＫへの１対１のマッピングが存在しないことである。すなわち、所与のＬ*ａ*ｂ*に対するＣＭＹＫの固有の組み合わせが存在しない。
【００３５】
【発明が解決しようとする課題】
従って、本発明の目的は、外部定義される４次元着色剤（ＣＭＹＫ）を、印刷機能を実行する所与のプリンタの色及び能力を考慮した等価な４次元着色剤（Ｃ'Ｍ'Ｙ'Ｋ'）に変換することである。
【００３６】
本発明の別の目的は、外部定義される着色剤（ＣＭＹＫ）に対して指定されるＬ*ａ*ｂ*値から、プリンタの４色の固有の等価な組み合わせ（Ｃ'Ｍ'Ｙ'Ｋ'）を見い出すことである。
【００３７】
【課題を解決するための手段】
本発明の好適な実施例のシステム、方法及びプログラム製品は、外部定義されるＣＭＹＫに等価な所与のプリンタのＣ'Ｍ'Ｙ'Ｋ'の固有の組み合わせを、同一のＬ*ａ*ｂ*値を有することにより決定する。
【００３９】
本発明の好適な実施例、及び前記関連特許出願２の好適な実施例の両者は、外部定義されるＣＭＹＫ色組み合わせの各Ｋ値に対して、各ＣＭＹ組み合わせに対応付けられるＬ*ａ*ｂ*値を使用する。これらのＬ*ａ*ｂ*値は規格として公開されるか、または外部定義される仕様に合致するインクを用いて印刷出力されたパッチから測定され得る。Ｌ*ａ*ｂ*値、及び各Ｋ値において対応するＣＭＹ値が、逆変換プログラムに入力される。
【００４０】
両方の好適な実施例は、Ｌ*値、光学濃度、反射率、または他の等価な色値のマッチングを通じて外部定義されるＫ値をプリンタの等価なＫ'値にマップする。これらの好適な実施例について述べる都合上、Ｌ*は色値として使用される。最初に、Ｃ＝０、Ｍ＝０及びＹ＝０において外部定義される各Ｋ値に対して、Ｌ*値が所与の規格に対して公表されるテーブルなどから見い出される。次に、所与のプリンタが、０％から１００％までの範囲の黒（Ｋ'）の割合の増分に対して、一連のグレースケール第４色成分（例えば黒）（Ｋ'）のパッチを印刷出力する。これらのグレースケール・パッチの各々に対するＬ*値が測定される。Ｌ*値及び対応する外部定義Ｋ値が補間プログラムに入力される。各印刷されたグレースケール・パッチの測定されたＬ*値、及び対応するＫ'値もまた、補間プログラムに入力される。任意の所与の外部定義Ｋ値に対して、同一の対応するＬ*値を両方の値に突き合わせることにより、補間プログラムから等価なＫ'値を決定することができる。
【００４１】
本発明の好適な実施例では、外部定義されたＫ値のマップ化されたＫ'値が、Ｃ'Ｍ'Ｙ'パッチの可変の所定の割合の様々な組み合わせを印刷するために使用される。例えばＫ'＝０を用いて、０％、１２．５％、２５％、３７．５％、５０％、６２．５％、７５％、８７．５％及び１００％の可変の割合において、Ｃ'Ｍ'Ｙ'の組み合わせの第１の９×９×９マトリックスが印刷される。Ｃ'Ｍ'Ｙ'の第２の９×９×９マトリックスは、Ｋ'＝．１１がＫ＝．１に同一のＬ*値を有することにより等価であれば、Ｋ'＝．１１において印刷される。Ｃ'Ｍ'Ｙ'の第３の９×９×９マトリックスは、Ｋ'＝．２１がＫ＝．２に同一のＬ*値を有することにより等価であれば、Ｋ'＝．２１において印刷される。これが外部定義されたＫ値と等価なＬ*値を有する各Ｋ'値に対して繰り返される。次に各パッチのＬ*ａ*ｂ*値が測定される。各Ｃ'Ｍ'Ｙ'の値が所与のＣ'Ｍ'Ｙ'組み合わせを実際に印刷する際に使用されるそれぞれのＫ'値に対応する各グループに対して対応する被測定Ｌ*ａ*ｂ*値と一緒に、逆変換／補間プログラムに入力される。
【００４２】
所与の外部定義されたＣＭＹＫ組み合わせが、所与のプリンタにより印刷されるときに、ＣＭＹＫ組み合わせをそれと同一のＬ*ａ*ｂ*値を有するＣ'Ｍ'Ｙ'Ｋ'組み合わせに変換するために、本発明の好適な実施例は、次のように変換を実行する。逆変換／補間プログラムは、そのパラメータとして入力値Ｃ'Ｍ'Ｙ'及びそれぞれのＫ'値に対応する各グループにおける対応する被測定Ｌ*ａ*ｂ*値を有する。逆変換／補間プログラムはまた、そのパラメータとして外部定義されたＣＭＹ組み合わせの各々の入力値、及び各Ｋ値に対するその対応するＬ*ａ*ｂ*値を有する。任意の所与の外部定義されたＣＭＹＫに対して逆変換／補間プログラムは、Ｋを有するＣＭＹに対応するＬ*ａ*ｂ*値を見い出し、それらのＬ*ａ*ｂ*値を用いて、Ｋ'を有する組み合わせＣ'Ｍ'Ｙ'を見い出す。ここでＫ'は、外部定義されたＣＭＹＫ組み合わせのＫにＬ*値により対応する。
【００４３】
【発明の実施の形態】
上述の問題に対する１つの解法は、前記関連特許出願３で開示されるように、Ｌ*ａ*ｂ*値を、所与のプリンタにおいて等価なＣ'Ｍ'Ｙ'Ｋ'値に変換する変換技術を使用することである。規格テーブル内の、または別の外部仕様からの各Ｌ*ａ*ｂ*に対して、本明細書で開示されるＬ*ａ*ｂ*→ＣＭＹ→ＣＭＹＫ変換技術を用いることにより、所与のプリンタにおける対応するＣ'Ｍ'Ｙ'Ｋ'組み合わせが見い出される。
【００４５】
本発明のシステム、方法及びプログラム製品は、前記関連特許出願２で述べられるものとは異なる技術を用いて、外部定義される４次元着色剤（ＣＭＹＫ）を、外部定義ＣＭＹＫと同一のＬ*ａ*ｂ*値を有する等価な４次元着色剤（Ｃ'Ｍ'Ｙ'Ｋ'）に変換する。等価なＣ'Ｍ'Ｙ'Ｋ'は、印刷機能を行う所与のプリンタの実際の色及び能力に起因する。後述の好適な実施例では、第４の成分（例えば黒）の特性を保存することにより、変換が実行される。
【００４６】
本明細書で述べられる好適な実施例は、図１及び図２に示される次の技術を組み込む。最初に、外部定義されるＣＭＹＫの４つの成分の各々の可変の割合の所定の組み合わせに対してＬ*ａ*ｂ*値が獲得される（ステップ１０９）。これらの値は、外部定義されたＣＭＹＫの公表テーブルなどを通じて仕様から獲得され得る。例えばＳＷＯＰ規格は、ＣＭＹＫの可変の割合に対するＬ*ａ*ｂ*値のテーブルを公表する。こうしたテーブルが使用可能でない場合、外部定義されるＣＭＹＫの４成分の各々の可変の割合の所定の組み合わせの印刷パッチが、例えば規格に合致するプリンタのインクを用いる印刷機などから獲得される必要がある。次に、各印刷パッチのＬ*ａ*ｂ*値が、分光光度計または他の色値測定装置を用いて測定される。これらのＬ*ａ*ｂ*値がルックアップ・テーブル及び逆変換／補間プログラムを介して、それらの対応するＣＭＹＫ値に相関付けられる。
【００４７】
規格のあるもの（例えばＳＷＯＰ）は、Ｋの第１の値におけるＣＭＹの様々な組み合わせに対するＬ*ａ*ｂ*値、次にＫの第２の値におけるＣＭＹの同一の様々な組み合わせに対するＬ*ａ*ｂ*値（以下同様）を有するテーブルを公表する。ＣＭＹ値はそれ自体、Ｋ値とは独立に可変される。例えばＣ、Ｍ及びＹが、０％、１０％、２０％、４０％、７０％及び１００％の様々な組み合わせを有し、各Ｋ値に対して、６×６×６のＣＭＹ組み合わせマトリックス、すなわち２１６通りのＣＭＹ組み合わせが生成される。例えばＫ＝０での２１６通りのＣＭＹ組み合わせの第１のグループ、Ｋ＝．２０での２１６通りのＣＭＹ組み合わせの第２のグループ、Ｋ＝．４０での２１６通りのＣＭＹ組み合わせの第３のグループ（以下同様）と言った具合である。規格は各Ｋ値における各ＣＭＹ組み合わせに対して、Ｌ*ａ*ｂ*値を提供する。
【００４８】
図１及び図２に関する好適な実施例では、所与のプリンタにおける等価なＫ'が、所与の外部定義されたＫ値（１０１）から、次に述べる技術を用いることにより変換される（１０４）。
【００４９】
プリンタはまた、一連のグレースケール第４着色剤（黒）（Ｋｐ）のパッチを印刷する（ステップ１０２）。グレースケール黒パッチにおけるａ*及びｂ*の値はほぼ０であるので、Ｌ*の値だけがグレースケール黒パッチとして使用される。
【００５０】
所与のＣＭＹＫに対して（ＳＷＯＰ規格などから）Ｋ値が調査される。例えばＫ＝．４と仮定しよう。この仕様が存在することから、公表されるテーブル内のＳＷＯＰパッチまたは行の１つが、Ｃ＝０、Ｍ＝０、Ｙ＝０及びＫ＝．４を有する。Ｋ＝．４における対応するＬ*値が、公表されたテーブルから見い出されるか、或いは指定インクを用い、印刷機から生成されたパッチから測定される。このＬ*値を用いて、このＬ*値に等しいプリンタのＫ'の割合が決定される。様々な割合の黒（Ｋｐ値）を有する予め印刷されたグレースケール・パッチ、及び各パッチに対して測定された対応するＬ*値が、Ｋに対応付けられる所与のＬ*値を有するプリンタのＫ'の割合を見い出すために使用される。要するに、規格からのＫ値（Ｃ＝０、Ｍ＝０、及びＹ＝０）が、その対応するＬ*値と一緒に使用される。このＬ*値が次に、プリンタの対応するＫ'値を決定するために使用される。Ｋ（ＳＷＯＰ）からＬ*を経て、Ｋ'（プリンタ）へのこの変換は、規格からの全てのＫ値、及び各Ｋ値の対応するＬ*値の入力、更にプリンタにより印刷された各Ｋｐ割合量、及びそのＫｐ割合に対して測定される対応するＬ*値の入力にもとづき、補間プログラムを介して決定される。
【００５１】
図６に示されるプロットは、０％（０）から１００％（１）までの規格Ｋ（ＫSTD）及びプリンタのＫ'（Ｋ'ｐ）、及び０から１００までの対応するＬ*値から成る。こうしたプロットは、規格の所与のＬ*値またはＫ値に対するプリンタの対応するＫ'値を見出すために使用される。ここで図６に示されるプロットは、目盛りの縮尺は正しくなく、これは単に説明の目的上使用されるだけである。特定の状況では、プリンタは規格の最も暗いＫを印刷できないかもしれないが、これはＫ'＝１と最善に突き合わされ、結果の誤差が容認される。これが当てはまるマップ化領域が図６の領域５０１として示される。Ｋ及びＫ'に対するＬ*値はこの領域では同一でないが、これらはこの領域内でほぼ同一である。それでも、この領域内のＫ及びＫ'は、たとえＬ*値が同一でなくても互いにマップされ、すなわち互いに対応する。それでもＬ*値はほぼ同一である。
【００５２】
例えば、規格が所定の増分割合量、例えば０％、１０％、２０％、４０％、６０％、８０％及び１００％のＫを有するＣＭＹの可変の割合の様々な組み合わせのＬ*ａ*ｂ*値を指定する。従って、これらの割合の１つに等しい各Ｋに対して、Ｌ*値が存在する（１０１）。ここでＣ＝０、Ｍ＝０及びＹ＝０である。上述の補間を使用し、これらのＫ値の各々におけるＬ*値が変換されたＫ'値を生成する。例えば、規格がＣ＝０、Ｍ＝０、Ｙ＝０及びＫ＝．２０において指定されるＬ*を有する場合、プリンタに対して変換されたＫ'値（同一のＬ*値を有する）は、Ｋ'＝．２２を有し得る。同様に、Ｋ値に対して規格により使用される増分割合の各々に対してプリンタの等価なＫ'値が決定される（１０４）。
【００５３】
これらの変換されたＫ'値は、（ＣＭＹ（ｐ））ｋ'のパッチの様々なグループを印刷出力するために使用される（１０６）。第１のグループは、Ｋ'＝０におけるシアン、マゼンタ及び黄色の可変の割合の所定の組み合わせを有する。（ＣＭＹ（ｐ））ｋ'の各成分は、所定の割合量を有する。例えばシアンにおいて、０％、１２．５％、２５％、３７．５％、５０％、６２．５％、７５％、８７．５％及び１００％のシアン色が存在する。これらの割合の各々はマゼンタの同一の異なる割合と結合される。更に、シアン及びマゼンタの９×９の組み合わせの各々が、これらの同一の９種類の割合の黄色と結合され、９×９×９の色組み合わせが生成される。但し、各色成分に対して、同一の割合値が使用される必要はない。ｌ×ｍ×ｎの任意の数の色組み合わせを形成する、任意の数の異なる割合値が存在し得る。ｌ×ｍ×ｎの色組み合わせの第１のグループが、Ｋ'＝０を用いて印刷出力される。
【００５４】
シアン、マゼンタ及び黄色の同一のｌ×ｍ×ｎの組み合わせを有するパッチの第２のグループが印刷されるが、この時、組み合わせは黒（Ｋ'）のある割合量も含む。任意の数（Ｍ）の異なる割合量の黒が使用され得る。例えば、黒は外部的に定義される０％、１０％、２０％、４０％、６０％、８０％の可変の割合量を有し得る。外部定義されるＫの次の増分割合量が１０％の場合、規格の１０％のＫから上述の変換プロセスにより変換された、すなわち外部定義されたＫ値をプリンタのＫ'値に変換するプロセスにより変換されたプリンタのＫ'値が使用される。例えば、Ｋ'が．１１と決定された場合、プリンタにより印刷出力されたシアン、マゼンタ及び黄色のｌ×ｍ×ｎの組み合わせが、１０％の代わりに、１１％の黒（Ｋ'）を有して印刷出力される。これらのパッチの各々のＬ*ａ*ｂ*が測定され、プリンタのＬ*ａ*ｂ*から（Ｃ'Ｍ'Ｙ'）ｋ'（但し、Ｋ'＝．１１）への変換関係が獲得される。
【００５５】
プリンタは次に、シアン、マゼンタ及び黄色のｌ×ｍ×ｎの組み合わせのＭグループを印刷出力し続ける。ｌ×ｍ×ｎの組み合わせ（パッチ）のＭグループの各々が、異なる割合量の黒を用いて印刷される。所与のプリンタにおいて使用される特定の割合量の黒（Ｋ'）は、外部定義されるＫ値の所定の増分割合量と同一のＬ*値を有する。
【００５６】
例えば、０、．１０、．２０、．４０、．６０及び．８０の値を有する外部定義されたＫに対して、Ｃ＝０、Ｍ＝０及びＹ＝０におけるこれらの値の各々において、同一のＬ*値を生成するプリンタの対応するＫ'値は、それぞれ０、．１１、．２２、．４５、．６６及び．８４である。
【００５７】
プリンタにより印刷される（Ｃ'Ｍ'Ｙ'）ｋ'のｌ×ｍ×ｎ（例えば９×９×９）パッチの各グループは異なるＫ'値を含む。パッチの各グループ内の各パッチは、そのＬ*ａ*ｂ*値を測定される。これらのＬ*ａ*ｂ*値の全ては、逆変換／補間プログラム１０８に入力され、ルックアップ・テーブル１１０が生成される。複数のルックアップ・テーブルが生成されてもよく、その場合、次のようにＫ（Ｋ'）の各値に対して、１つのルックアップ・テーブルが生成される。
【数５】
0003905975.tif 000002
【００５８】
これがＫ→Ｌ*→Ｋ'と結合され、色変換テーブルＣＭＹＫ→Ｃ'Ｍ'Ｙ'Ｋ'が生成される。
【００５９】
非常に多くの節点を有する色変換ルックアップ・テーブルが補間により、基本ルックアップ・テーブルから導出される（１１１）。従って、例えば６×６×６×６個の節点を有する色変換ＣＭＹＫ→Ｃ'Ｍ'Ｙ'Ｋ'（１１０）は、補間を介して１６×１６×１６×１６個の節点を有するテーブルに変換される（１１１）。すなわち、次のように表すことができる。
【数６】
0003905975.tif 000003
【００６０】
任意の所与のＫ量、例えばＫ＝．２０における任意の所与のＣＭＹ組み合わせにおいて、Ｋ＝．２０における所与のＣＭＹ組み合わせと同一のＬ*ａ*ｂ*を有するＫ'＝．２２における対応するＣ'Ｍ'Ｙ'組み合わせが、逆変換／補間プログラムから決定される。
【００６１】
例えば、所与のＬ*ａ*ｂ*を有する外部定義されたＣＭＹ及びＫに対して、プリンタのＣ'Ｍ'Ｙ'Ｋ'が決定される必要がある。外部定義されたＣＭＹＫのＫ値が．２であった場合、Ｋ'＝．２２を有するＣ'Ｍ'Ｙ'組み合わせのグループ内のＬ*ａ*ｂ*値が調査され、Ｋを有するＣＭＹの所与のＬ*ａ*ｂ*値と同一のＬ*ａ*ｂ*値を有する、Ｋ'＝．２２を有する対応付けられるＣ'Ｍ'Ｙ'が見い出される。
【００６２】
図３は、色変換テーブルを生成するプロセスの流れ図を示す。最初に、Ｃｐ、Ｍｐ、Ｙｐ、Ｋｐの各々のグレースケール・パッチが、例えば各色等間隔の５０段階で、従って合計２００個印刷される（ステップ２０１）。各パッチのＬ*ａ*ｂ*が測定される（ステップ２０２）。各色に対してプロットが作成され、Ｎセグメント（好適な実施例ではＮ＝８）へのインタバルが決定される。ａ*及びｂ*同様、Ｌ*における各インタバル内の最適な直線近似が探索される（ステップ２０３）。データがコンピュータ・プログラムに入力される（ステップ２０４）。Ｋ'の様々な被印刷グレースケール値と、外部定義されるＫ値との間のマッピングが、対応するＬ*値にもとづき行われる（ステップ２０５）。次に、外部定義済みのＫ値にマップされたＫ'の様々な割合における、各色の様々な割合（ステップ２０１で決定された０％乃至１００％の割合）を有する（ＣＭＹ（ｐ））ｋ'パッチが印刷される（ステップ２０６）。各Ｋ'値におけるこれらの（ＣＭＹ（ｐ））ｋ'パッチの各々のＬ*ａ*ｂ*値が測定される（ステップ２０７）。このデータが次にコンピュータ・プログラムに入力される（ステップ２０８）。様々なＫ値におけるＣＭＹから様々なＫ'値における（Ｃ'Ｍ'Ｙ'）ｋ'へのルックアップ・テーブルが形成される（ステップ２１１）。色変換テーブル・ファイルが生成される（ステップ２１２）。色変換テーブル・ファイルが次にプリンタ制御装置２１３に送信されてロードされるか、或いはディスケットなどの記憶媒体上にロードされる（ステップ２１４）。色変換テーブルが記憶媒体上に記憶される場合、色変換テーブルは記憶媒体を介して永久にプリンタ制御装置内に記憶されるか、或いは印刷ジョブにより要求されるとき、プリンタ・ドライバによりプリンタ制御装置にロードされる（ステップ２１４乃至２１７）。
【００６３】
図４は、外部定義された４次元色空間（ＣＭＹＫ）から、所与のプリンタの等価な４次元色空間（Ｃ'Ｍ'Ｙ'Ｋ'）を導出するルックアップ・テーブルを生成するコンピュータ・プログラムの流れ図である。最初に、グレースケール・パッチからＫｐ値及び対応付けられるＬ*測定値が読込まれる（ステップ３１０）。次に、プリンタの第４の成分Ｋ'と、外部定義された第４成分着色剤Ｋの第４成分との間のマッピングが対応するＬ*値にもとづき行われる（ステップ３１２）。次に、可変のマップ化されたＫ'値により印刷された（Ｃ'Ｍ'Ｙ'）ｋ'パッチからの、既知の（Ｃ'Ｍ'Ｙ'）ｋ'値及びマップ化Ｋ'値、及び対応付けられる（Ｌ*ａ*ｂ*）ｋ'値が読込まれる（ステップ３１４）。逆変換及び補間を通じてＣ'Ｍ'Ｙ'値が、等間隔の増分においてマップ化されたＫ'値を有する（Ｃ'Ｍ'Ｙ'）ｋ値のグループ、及び（Ｃ'Ｍ'Ｙ'）ｋ'に対するＬ*ａ*ｂ*値から獲得される（ステップ３２２）。次に、ＣＭＹＫ−Ｃ'Ｍ'Ｙ'Ｋ'変換のためのルックアップ・テーブルが生成される（ステップ３２６）。
【００６４】
図５は、本発明の好適な実施例の機構を実行する典型的な印刷システムを示すブロック図である。また、この及び他の印刷システムは、プリンタ制御装置１４を介して、本発明の好適な実施例の機構を組み込むように変更され得る。図示の印刷システムは、ペーパ・リール１、スプライシング・テーブル２、紙乾燥ロール３、紙冷却４、紙状態センサ５、スピード・モータ６、印刷ステーション７、トップ・ローラ８、定着器９、紙冷却１０、トルク・モータ１１、カッタ１２、及びスタッカ１３を含む。印刷ステーション７は、シアン、マゼンタ、黄色及び黒などの、プリンタにより使用される様々な色のインクのための前後の印刷エンジンを含む。更に多くの色のインクに対しては、追加の印刷エンジン対が印刷ステーション内に含まれる。コンピュータ１８は上述のように、色変換テーブル・データを入力し、色変換テーブル・ファイル２１２を生成するために使用される。
【００６５】
上述の仕様を使用することにより、本発明は、プログラミング・ソフトウェア、ファームウェア、ハードウェア、またはそれらの任意の組み合わせを生成するための標準のプログラミング及び（または）エンジニアリング技術を用いることにより、マシン、プロセスまたは装置として実現され得る。
【００６６】
コンピュータ読出し可能プログラム・コードを有する任意の結果のプログラムが、メモリ装置または伝送装置などの１つ以上のコンピュータ使用可能媒体内で実現され、それにより本発明によるコンピュータ・プログラム製品または装置が製作される。ここで使用される用語"装置（article of manufacture）"及び"コンピュータ・プログラム製品（または単にプログラム製品）"は、メモリ装置などの任意のコンピュータ使用可能媒体上または伝送装置内に（永久的にまたは一時的に）存在するコンピュータ・プログラムを包含するように意図される。
【００６７】
ある媒体からのプログラム・コードの直接的な実行、媒体上へのプログラム・コードの記憶、ある媒体から別の媒体へのコードのコピー、送信装置を用いるコードの伝送、または他の等価な作用はメモリまたは送信装置の使用に関わり、これらは本発明を形成、使用または販売する予備または最終ステップとして、プログラム・コードを一時的に実現する。
【００６８】
メモリ装置は、固定（ハード）ディスク・ドライブ、ディスケット、光ディスク、磁気テープ及びＲＡＭ、ＲＯＭ、Ｐｒｏｍなどの半導体メモリを含む。伝送装置は、インターネット、イントラネット、電子掲示板及びメッセージ／短信交換、電話／モデム・ベースのネットワーク通信、ハードワイヤード／ケーブル式通信ネットワーク、セルラ通信、電波通信、衛星通信及び他の静止または移動ネットワーク・システム／通信リンクを含む。
【００６９】
本発明を実現するマシンは、ソフトウェア、ファームウェア、ハードウェア、またはそれらの任意の組み合わせを含む１つ以上の印刷システム及び（または）処理システムを含み、これらはＣＰＵ、メモリ／記憶装置、通信リンク、通信／伝送装置、サーバ、Ｉ／Ｏ装置、または任意のサブコンポーネントまたは個々のパーツを含む。
【００７０】
コンピュータ・サイエンスに関わる当業者には、上述のように生成されたソフトウェアを、適切な汎用または専用コンピュータ・ハードウェア及び（または）プリンタ・ハードウェアと結合することにより、本発明を実現するコンピュータ／プリンタ・システム及び（または）コンピュータ／プリンタ・サブコンポーネントを製作し、また本発明の方法を実行するコンピュータ／プリンタ・システム及び（または）コンピュータ／プリンタ・サブコンポーネントを製作することができよう。
【００７１】
以上、本発明の好適な実施例について詳述してきたが、当業者には、本発明の趣旨または範囲から逸脱すること無しに、これらの実施例の変更及び適応化が可能であることが理解されよう。
【００７２】
例えば、任意の数のパッチが印刷出力され、その対応する色値のために測定される。特定サイズのマトリックスまたは特定の割合値は要求されない。また、各色の不等な増分が利用され得る。この場合、増分は各色の区分的な線形ステップにもとづく。本発明はＬ*ａ*ｂ*に関連して述べられてきたが、装置独立の色値を含む任意の色値が使用され得る。Ｌ*の参照は光学濃度若しくは反射率、または他の等価な値であり得る。また、本発明はＣＭＹＫ（これは通常、シアン、マゼンタ、黄色及び黒を指し示す）に関して述べられてきたが、これらの色成分のいずれかまたは全ての代わりに他の色も使用され得る。本発明はまた、本発明の趣旨及び範囲から逸脱すること無しに、５次元−５次元変換またはそれ以上の変換にも適用可能である。
【００７３】
まとめとして、本発明の構成に関して以下の事項を開示する。
【００７４】
（１）外部定義される４次元着色剤を、所与のプリンタの色成分を有する等価な４次元着色剤に変換する方法であって、
前記外部定義４次元着色剤の第４の成分の可変値を、前記プリンタにより印刷出力された可変の割合の第４の着色剤の被測定色値にもとづき、前記プリンタの等価な第４の成分の可変値にマップするステップと、
様々な前記第４の成分値及び前記プリンタの前記等価な第４の成分値にそれぞれ対して、前記外部定義４次元着色剤の前記第４の成分を有する３つの着色剤成分を、前記プリンタの前記等価な第４の成分を有する対応する３つの着色剤成分に相関付けるステップであって、前記外部定義４次元着色剤の前記第４の成分を有する前記３つの着色剤成分の色値と、前記プリンタの前記等価な第４の成分を有する対応する前記３つの着色剤成分とが整合される、相関付けステップと、
前記相関関係を用いて、前記外部定義４次元着色剤を前記プリンタの前記色成分を有する前記等価な４次元着色剤に変換するステップと、
を含む、方法。
（２）前記相関付けステップが、前記プリンタの前記等価な第４の成分の可変の割合を有する、前記３つの着色剤成分の可変の割合の所定の組み合わせの印刷済みパッチの被測定色値にもとづく、前記（１）記載の方法。
（３）前記プリンタにより印刷出力された可変の割合の前記第４の着色剤の前記被測定色値がＬ*値であり、前記整合される色値がＬ*ａ*ｂ*値である、前記（１）記載の方法。
（４）前記第４の成分が黒である、前記（１）記載の方法。
（５）前記３つの着色剤成分がシアン、マゼンタ及び黄色である、前記（１）記載の方法。
（６）外部定義される４次元着色剤（ＣＭＹＫ）を、所与のプリンタの色成分を有する等価な４次元着色剤（Ｃ'Ｍ'Ｙ'Ｋ'）に変換する方法であって、
前記外部定義４次元着色剤（ＣＭＹＫ）の第４の成分（Ｋ）の可変値を、前記プリンタにより印刷出力された可変の割合の第４の着色剤の被測定Ｌ*値にもとづき、前記プリンタの等価な第４の成分（Ｋ'）の可変値にマップするステップと、
様々なＫi値及び等価なＫ'i値に対して、前記外部定義４次元着色剤（ＣＭＹ）ｋの前記第４の成分を有する３つの着色剤成分を、前記プリンタの前記等価な第４の成分を有する対応する３つの着色剤成分（Ｃ'Ｍ'Ｙ'）ｋ'に、（ＣＭＹ）ｋ及び（Ｃ'Ｍ'Ｙ'）ｋ'のＬ*ａ*ｂ*値が整合するように相関付けるステップと、
前記相関関係を用いて、前記外部定義４次元着色剤を前記プリンタの前記色成分を有する前記等価な４次元着色剤に変換するステップと、
を含む、方法。
（７）前記マップ化された値Ｋ'1、Ｋ'2、．．．、Ｋ'nからの前記第４の着色剤の割合Ｋ'iを有する、Ｃｐ'Ｍｐ'Ｙｐ'の所定の可変の割合の色パッチを印刷し、それらのパッチの（Ｌ*ａ*ｂ*）ｐ値を測定し、逆変換及び補間アルゴリズムを使用することにより、（Ｃ'Ｍ'Ｙ'）ｋ'のＬ*ａ*ｂ*値が、各Ｋ'iにおける、（Ｃ'Ｍ'Ｙ'）ｋ'iと前記色値（Ｌ*ａ*ｂ*）ｋ'iとの間のプリンタの３次元関係を確立する、前記（６）記載の方法。
（８）外部定義される４次元着色剤（ＣＭＹＫ）を、所与のプリンタの色成分を有する等価な４次元着色剤（Ｃ'Ｍ'Ｙ'Ｋ'）に変換する方法であって、
前記外部定義４次元着色剤（ＣＭＹＫ）の第４の成分（Ｋ）を、前記プリンタにより印刷出力された可変の割合のＫｐ'の被測定Ｌ*値と、Ｃ＝０、Ｍ＝０及びＹ＝０時に、Ｋの様々な割合に対して外部定義されるＬ*値とにもとづき、前記プリンタの等価な第４の成分（Ｋ'）にマップするステップであって、前記等価なＫ'成分が、前記外部定義４次元着色剤（ＣＭＹＫ）のＣ＝０、Ｍ＝０及びＹ＝０時の前記Ｋ成分と同一のまたはほぼ同一のＬ*値を有する、マップ化ステップと、
前記マップ化された値Ｋ'1、Ｋ'2、．．．、Ｋ'nからの前記第４の着色剤の割合Ｋ'iを有する、Ｃｐ'Ｍｐ'Ｙｐ'の所定の可変の割合の色パッチを印刷し、それらのパッチの（Ｌ*ａ*ｂ*）ｐ値を測定し、逆変換及び補間アルゴリズムを使用することにより、各Ｋ'iにおける、（Ｃ'Ｍ'Ｙ'）ｋ'iと前記色値（Ｌ*ａ*ｂ*）ｋ'iとの間のプリンタの３次元関係を確立するステップと、
様々なＫi値及び等価なＫ'i値に対して、前記外部定義４次元着色剤（ＣＭＹ）ｋの前記第４の成分を有する３つの着色剤成分を、前記プリンタの前記等価な第４の成分を有する対応する３つの着色剤成分（Ｃ'Ｍ'Ｙ'）ｋ'に、（ＣＭＹ）ｋ及び（Ｃ'Ｍ'Ｙ'）ｋ'のＬ*ａ*ｂ*値が整合するように相関付けるステップと、
前記相関関係を用いて、前記外部定義４次元着色剤を前記プリンタの前記色成分を有する前記等価な４次元着色剤に変換するステップと、
を含む、方法。
（９）外部定義される４次元着色剤（ＣＭＹＫ）を、所与のプリンタの色成分を有する等価な４次元着色剤（Ｃ'Ｍ'Ｙ'Ｋ'）に変換する方法であって、
前記プリンタの第４の色成分（Ｋ'）の可変の割合を有する、前記プリンタにより印刷出力されたパッチの被測定Ｌ*値及びＣ＝０、Ｍ＝０及びＹ＝０時の前記外部定義４次元着色剤の第４の成分の外部定義Ｌ*値を用い、前記プリンタの前記第４の成分の可変の割合を、決定された対応するＬ*値にもとづき、前記外部定義４次元着色剤の前記第４の色成分の可変の割合にマップするステップと、
前記マップ化された値Ｋ'1、Ｋ'2、．．．、Ｋ'nからの前記第４の着色剤の割合Ｋ'iを有する、Ｃｐ'Ｍｐ'Ｙｐ'の所定の可変の割合の色パッチを印刷し、それらのパッチの（Ｌ*ａ*ｂ*）ｐ値を測定し、逆変換及び補間アルゴリズムを使用することにより、各Ｋ'iにおける、（Ｃ'Ｍ'Ｙ'）ｋ'iと前記色値（Ｌ*ａ*ｂ*）ｋ'iとの間のプリンタの３次元関係を確立するステップと、
様々なＫi値及び等価なＫ'i値に対して、前記外部定義４次元着色剤（ＣＭＹ）ｋの前記第４の成分を有する３つの着色剤成分を、前記プリンタの前記等価な第４の成分を有する対応する３つの着色剤成分（Ｃ'Ｍ'Ｙ'）ｋ'に、（ＣＭＹ）ｋ及び（Ｃ'Ｍ'Ｙ'）ｋ'のＬ*ａ*ｂ*値が整合するように相関付けるステップと、
前記相関関係を用いて、前記外部定義の第４の着色剤を有する前記外部定義の３つの着色剤（ＣＭＹ）の組み合わせのＬ*ａ*ｂ*値に整合する決定されたＬ*ａ*ｂ*値を有する、前記外部定義４次元着色剤の前記第４の着色剤の値にマップされた値を有する前記第４の色成分を有する前記プリンタの前記３つの色成分の組み合わせを決定することにより、前記４次元着色剤（ＣＭＹＫ）を、前記プリンタの色成分を有する等価な４次元着色剤（Ｃ'Ｍ'Ｙ'Ｋ'）に変換するステップと、
を含む、方法。
（１０）外部定義される４次元着色剤（ＣＭＹＫ）を、所与のプリンタの色成分を有する等価な４次元着色剤（Ｃ'Ｍ'Ｙ'Ｋ'）に変換する方法であって、
前記外部定義４次元着色剤（ＣＭＹＫ）の複数のＫ値の各々に対して、前記４次元着色剤に対して外部定義されるＬ*ａ*ｂ*値、及び対応するＣＭＹ組み合わせ値を、コンピュータ・プログラムに入力するステップと、
Ｃ＝０、Ｍ＝０及びＹ＝０時にＫ値に対して外部定義されるＬ*を用いることにより、及び前記プリンタの第４の着色剤Ｋｐの可変の割合の印刷されたパッチからのＬ*値を用いることにより、外部定義されるＫ値を前記プリンタの等価なＫ'値に相関付けるステップと、
外部定義される可変のＫ値に相関付けられる等価な可変のＫ'値を有する、前記プリンタの第４の色成分Ｋｐ'を有する、前記プリンタの３つの色成分Ｃｐ'、Ｍｐ'及びＹｐ'の可変の割合の所定の組み合わせを有するパッチのマトリックスを印刷出力するステップと、
各Ｋ'値におけるＣ'Ｍ'Ｙ'の所定の組み合わせを有する各パッチのＬ*ａ*ｂ*値を測定するステップと、
各Ｋ'値におけるＣ'Ｍ'Ｙ'の各組み合わせの被測定Ｌ*ａ*ｂ*値、及び各Ｋ'値におけるＣ'Ｍ'Ｙ'の前記所定の組み合わせの対応する値をコンピュータ・プログラムに入力するステップと、
前記コンピュータ・プログラムを用い、逆変換及び補間を通じて、前記外部定義４次元着色剤ＣＭＹＫの前記Ｋ値において、３成分ＣＭＹと同一のＬ*ａ*ｂ*値を有する、所与の変換されたＫ'における変換されたＣ'Ｍ'Ｙ'組み合わせを決定するステップと、
を含む、方法。
（１１）外部定義される４次元着色剤（ＣＭＹＫ）を、所与のプリンタの色成分を有する等価な４次元着色剤（Ｃ'Ｍ'Ｙ'Ｋ'）に変換する方法であって、
前記外部定義４次元着色剤（ＣＭＹＫ）の外部定義される第４の着色剤（Ｋ）を、それと同一のＬ*値を有する前記プリンタの等価な第４の色成分（Ｋ'）にマップするステップと、
前記プリンタの他の３つの色成分（Ｃ'Ｍ'Ｙ'）の所定の可変の割合の様々な組み合わせのグループ内の複数の印刷済みパッチのＬ*ａ*ｂ*値を測定するステップであって、前記の各グループが、外部定義される可変の第４の着色剤値（Ｋi）にマップされる前記プリンタの異なる等価な第４の色成分値（Ｋ'i）を有し、前記印刷済みパッチの前記被測定Ｌ*ａ*ｂ*値が前記プリンタの４つの全ての着色剤を考慮する、測定ステップと、
前記外部定義４次元着色剤（ＣＭＹＫ）に対して、該外部定義４次元着色剤に対応付けられるＬ*ａ*ｂ*値を用い、外部定義される前記第４の着色剤にマップされる前記異なる等価な第４の色成分を有する前記グループの１つ内の、同一のＬ*ａ*ｂ*値を有する３つの着色剤の組み合わせ（Ｃ'Ｍ'Ｙ'）を見い出すことにより、前記プリンタにより使用される等価な４次元着色剤（Ｃ'Ｍ'Ｙ'Ｋ'）を決定するステップと、
を含む、方法。
（１２）外部定義される４次元着色剤を、所与のプリンタの色成分を有する等価な４次元着色剤に変換するシステムであって、
前記外部定義４次元着色剤の第４の成分の可変値を、前記プリンタにより印刷出力された可変の割合の第４の着色剤の被測定色値にもとづき、前記プリンタの等価な第４の成分の可変値にマップする手段と、
様々な前記第４の成分値及び前記プリンタの前記等価な第４の成分値にそれぞれ対して、前記外部定義４次元着色剤の前記第４の成分を有する３つの着色剤成分を、前記プリンタの前記等価な第４の成分を有する対応する３つの着色剤成分に相関付ける手段であって、前記外部定義４次元着色剤の前記第４の成分を有する前記３つの着色剤成分の色値と、前記プリンタの前記等価な第４の成分を有する対応する前記３つの着色剤成分とが整合される、相関付け手段と、
前記相関関係を用いて、前記外部定義４次元着色剤を前記プリンタの前記色成分を有する前記等価な４次元着色剤に変換する手段と、
を含む、システム。
（１３）前記相関付け手段が、前記プリンタの前記等価な第４の成分の可変の割合を有する、前記３つの着色剤成分の可変の割合の所定の組み合わせの印刷済みパッチの被測定色値にもとづく、前記（１２）記載のシステム。
（１４）前記プリンタにより印刷出力された可変の割合の前記第４の着色剤の前記被測定色値がＬ*値であり、前記整合される色値がＬ*ａ*ｂ*値である、前記（１２）記載のシステム。
（１５）前記第４の成分が黒である、前記（１２）記載のシステム。
（１６）前記３つの着色剤成分がシアン、マゼンタ及び黄色である、前記（１２）記載のシステム。
（１７）外部定義される４次元着色剤（ＣＭＹＫ）を、所与のプリンタの色成分を有する等価な４次元着色剤（Ｃ'Ｍ'Ｙ'Ｋ'）に変換するシステムであって、
前記外部定義４次元着色剤（ＣＭＹＫ）の第４の成分（Ｋ）の可変値を、前記プリンタにより印刷出力された可変の割合の第４の着色剤の被測定Ｌ*値にもとづき、前記プリンタの等価な第４の成分（Ｋ'）に変換する手段と、
様々なＫi値及び等価なＫ'i値に対して、前記外部定義４次元着色剤（ＣＭＹ）ｋの前記第４の成分を有する３つの着色剤成分を、前記プリンタの前記等価な第４の成分を有する対応する３つの着色剤成分（Ｃ'Ｍ'Ｙ'）ｋ'に、（ＣＭＹ）ｋ及び（Ｃ'Ｍ'Ｙ'）ｋ'のＬ*ａ*ｂ*値が整合するように相関付ける手段と、
前記相関関係を用いて、前記外部定義４次元着色剤を前記プリンタの前記色成分を有する前記等価な４次元着色剤に変換する手段と、
を含む、システム。
（１８）前記マップ化された値Ｋ'1、Ｋ'2、．．．、Ｋ'nからの前記第４の着色剤の割合Ｋ'iを有する、Ｃｐ'Ｍｐ'Ｙｐ'の所定の可変の割合の色パッチを印刷し、それらのパッチの（Ｌ*ａ*ｂ*）ｐ値を測定し、逆変換及び補間アルゴリズムを使用することにより、（Ｃ'Ｍ'Ｙ'）ｋ'のＬ*ａ*ｂ*値が、各Ｋ'iにおける（Ｃ'Ｍ'Ｙ'）ｋ'iと前記色値（Ｌ*ａ*ｂ*）ｋ'iとの間のプリンタの３次元関係を確立する、前記（１７）記載のシステム。
（１９）外部定義される４次元着色剤（ＣＭＹＫ）を、所与のプリンタの色成分を有する等価な４次元着色剤（Ｃ'Ｍ'Ｙ'Ｋ'）に変換するシステムであって、
前記外部定義４次元着色剤（ＣＭＹＫ）の第４の成分（Ｋ）を、前記プリンタにより印刷出力された可変の割合のＫ'の被測定Ｌ*値と、Ｃ＝０、Ｍ＝０及びＹ＝０時に、Ｋの様々な割合に対して外部定義されるＬ*値とにもとづき、前記プリンタの等価な第４の成分（Ｋ'）に変換する手段であって、前記等価なＫ'成分が、前記外部定義４次元着色剤（ＣＭＹＫ）のＣ＝０、Ｍ＝０及びＹ＝０時の前記Ｋ成分と同一のＬ*値を有する、変換手段と、
前記外部定義４次元着色剤（ＣＭＹＫ）の前記第４の成分の可変の割合における３成分の組み合わせを、前記プリンタにより印刷出力された前記等価な第４の成分の可変の割合における、Ｃ'Ｍ'Ｙ'の様々な組み合わせの測定または計算されたＬ*ａ*ｂ*値と、前記第４の成分Ｋの可変の割合におけるＣＭＹの様々な組み合わせに対して外部定義されるＬ*ａ*ｂ*値とにもとづき、前記プリンタの前記等価な第４の成分（Ｋ'）の可変の割合における３つの着色剤（Ｃ'Ｍ'Ｙ'）の等価な組み合わせに変換する手段であって、前記等価な第４の成分を有するＣ'Ｍ'Ｙ'の等価な組み合わせが、前記外部定義４次元着色剤（ＣＭＹＫ）の前記第４の成分を有する前記３成分（ＣＭＹ）と同一のＬ*ａ*ｂ*値を有する、変換手段と、
を含む、システム。
（２０）外部定義される４次元着色剤（ＣＭＹＫ）を、所与のプリンタの色成分を有する等価な４次元着色剤（Ｃ'Ｍ'Ｙ'Ｋ'）に変換するシステムであって、
前記外部定義４次元着色剤（ＣＭＹＫ）の外部定義される第４の着色剤（Ｋ）を、それと同一のＬ*値を有する前記プリンタの等価な第４の色成分（Ｋ'）にマップする手段と、
前記プリンタの他の３つの色成分（Ｃ'Ｍ'Ｙ'）の所定の可変の割合の様々な組み合わせのグループ内の複数の印刷済みパッチのＬ*ａ*ｂ*値を測定または計算する手段であって、前記の各グループが、外部定義される可変の第４の着色剤値（Ｋ'）にマップされる前記プリンタの異なる等価な第４の色成分値（Ｋ'）を有し、前記印刷済みパッチの前記被測定Ｌ*ａ*ｂ*値が前記プリンタの４つの全ての着色剤を考慮する、測定手段と、
前記外部定義４次元着色剤（ＣＭＹＫ）に対して、該外部定義４次元着色剤に対応付けられるＬ*ａ*ｂ*値を用い、外部定義される前記第４の着色剤にマップされる前記異なる等価な第４の色成分を有する前記グループの１つ内の、同一のＬ*ａ*ｂ*値を有する３つの着色剤の組み合わせ（Ｃ'Ｍ'Ｙ'）を見い出すことにより、前記プリンタにより使用される等価な４次元着色剤（Ｃ'Ｍ'Ｙ'Ｋ'）を決定する手段と、
を含む、システム。
（２１）外部定義される４次元着色剤（ＣＭＹＫ）を、所与のプリンタの色成分を有する等価な４次元着色剤（Ｃ'Ｍ'Ｙ'Ｋ'）に変換する手段を有する印刷システムであって、
前記プリンタの３つの色成分の各々がゼロ値を有するとき、前記プリンタの第４の色成分（Ｋ'）の所定の可変の割合を有する複数のパッチを印刷出力する手段と、
前記外部定義４次元着色剤（ＣＭＹＫ）の第４の成分（Ｋ）の値を、前記複数のパッチの被測定Ｌ*値と、Ｃ＝０、Ｍ＝０及びＹ＝０時に、Ｋの様々な割合に対して外部定義されるＬ*値とにもとづき、前記プリンタの第４の色成分（Ｋ'）の等価な値にマップする手段であって、前記等価な第４の成分（Ｋ'）が、前記外部定義４次元着色剤（ＣＭＹＫ）のＣ＝０、Ｍ＝０及びＹ＝０時の前記Ｋ成分と同一のＬ*値を有する、マップ化手段と、
前記プリンタの前記第４の色成分Ｋ'の可変の等価な値において、前記プリンタの３つの色成分Ｃｐ'、Ｍｐ'及びＹｐ'の可変の割合の所定の組み合わせを有するパッチのマトリックスを印刷出力する手段と、
プリンタ制御装置内において、前記外部定義４次元着色剤（ＣＭＹＫ）の前記第４の成分Ｋを有する３成分を、前記パッチのマトリックスの被測定Ｌ*ａ*ｂ*値と、前記第４の成分Ｋの可変値におけるＣＭＹの様々な組み合わせに対して外部定義されるＬ*ａ*ｂ*値とにもとづき、前記等価な第４の成分Ｋ'を有する、前記プリンタの３つの着色剤（Ｃ'Ｍ'Ｙ'）の等価な組み合わせに変換する手段であって、前記等価な第４の色成分Ｋ'を有するＣ'Ｍ'Ｙ'の等価な組み合わせが、前記外部定義４次元着色剤（ＣＭＹＫ）の前記第４の色成分Ｋを有する前記３成分（ＣＭＹ）と同一のＬ*ａ*ｂ*値を有する、変換手段と、
を含む、印刷システム。
（２２）外部定義される４次元着色剤（ＣＭＹＫ）を、所与のプリンタの色成分を有する等価な４次元着色剤（Ｃ'Ｍ'Ｙ'Ｋ'）に変換するシステムであって、
前記プリンタの３つの色成分の各々がゼロ値を有するとき、前記プリンタの第４の色成分（Ｋ'）の所定の可変の割合を有する複数のパッチを印刷出力する手段と、
入力として、ａ）前記複数のパッチの各々に対して測定されたＬ*値と、ｂ）外部定義される第４の着色剤（Ｋ）の可変の割合に対して外部定義されるＬ*値とを受信する手段と、受信された前記入力にもとづき、所与の外部定義される前記第４の着色剤を、前記プリンタの対応する第４の色成分に相関付ける第１のファイルを生成する手段とを有する、コンピュータにロードされるコンピュータ・プログラムと、
外部定義される前記第４の着色剤Ｋの可変値に相関付けられる対応する前記第４の色成分の可変値において、前記プリンタの３つの色成分Ｃ'、Ｍ'及びＹ'の可変の割合の所定の組み合わせを有するパッチのマトリックスを印刷出力する手段と、
入力として、ａ）前記パッチのマトリックスの各パッチの被測定Ｌ*ａ*ｂ*値と、ｂ）外部定義される前記第４の着色剤の可変値における、他の３つの外部定義される色成分の可変の割合の組み合わせに対して外部定義されるＬ*ａ*ｂ*値とを受信する手段と、外部定義される前記第４の着色剤の可変値において外部定義される３つの着色剤を、前記プリンタの対応する第４の色成分の可変値における、前記プリンタの前記３つの色成分の対応する組み合わせに相関付ける第２のファイルを生成する手段とを有する、コンピュータにロードされるコンピュータ・プログラムと、
前記コンピュータにより生成され、前記プリンタ制御装置にロードされる前記第２及び第１のファイルにもとづき、外部定義される前記４次元色成分を、対応する前記第４の色成分を有する前記プリンタの３つの色成分の対応する組み合わせに変換するプリンタ制御装置と、
を含む、システム。
（２３）外部定義される４次元着色剤を、所与のプリンタの色成分を有する等価な４次元着色剤に変換する、前記プリンタのプリンタ制御装置内で使用される媒体上のファイルであって、
様々な前記第４の成分値及び前記プリンタの等価な第４の成分値にそれぞれ対して、前記外部定義４次元着色剤の前記第４の成分を有する３つの着色剤成分を、前記プリンタの前記等価な第４の成分を有する対応する３つの着色剤成分に相関付ける手段であって、前記外部定義４次元着色剤の前記第４の成分を有する前記３つの着色剤成分の色値と、前記プリンタの前記等価な第４の成分を有する対応する前記３つの着色剤成分とが整合され、前記等価な第４の成分が、前記プリンタにより印刷出力される可変の割合の第４の着色剤の被測定色値にもとづき決定され、前記相関関係が、前記プリンタにより印刷された前記等価な第４の成分の可変の割合を有する前記３つの着色剤成分の可変の割合の組み合わせからの測定値または計算値にもとづく、相関付け手段と、
前記相関関係を用いて、前記外部定義４次元着色剤を前記プリンタの前記色成分を有する前記等価な４次元着色剤に変換するステップと、
を含む、ファイル。
（２４）外部定義される４次元着色剤（ＣＭＹＫ）を、所与のプリンタの色成分を有する等価な４次元着色剤（Ｃ'Ｍ'Ｙ'Ｋ'）に変換する、前記プリンタのプリンタ制御装置内で使用される媒体上のファイルであって、
前記外部定義４次元着色剤（ＣＭＹＫ）の第４の成分（Ｋ）の可変値を、前記プリンタにより印刷出力された可変の割合の第４の着色剤の被測定Ｌ*値にもとづき、前記プリンタの等価な第４の成分（Ｋ'）の可変値にマップする手段と、
様々なＫi値及び等価なＫ'i値に対して、前記外部定義４次元着色剤（ＣＭＹ）ｋの前記第４の成分を有する３つの着色剤成分を、前記プリンタの前記等価な第４の成分を有する対応する３つの着色剤成分（Ｃ'Ｍ'Ｙ'）ｋ'に、（ＣＭＹ）ｋ及び（Ｃ'Ｍ'Ｙ'）ｋ'のＬ*ａ*ｂ*値が整合するように相関付ける手段と、
前記相関関係を用いて、前記外部定義４次元着色剤を前記プリンタの前記色成分を有する前記等価な４次元着色剤に変換する手段と、
を含む、ファイル。
（２５）前記マップ化された値Ｋ'1、Ｋ'2、．．．、Ｋ'nからの前記第４の着色剤の割合Ｋ'iを有する、Ｃｐ'Ｍｐ'Ｙｐ'の所定の可変の割合の色パッチを印刷し、それらのパッチの（Ｌ*ａ*ｂ*）ｐ値を測定し、逆変換及び補間アルゴリズムを使用することにより、（Ｃ'Ｍ'Ｙ'）ｋ'のＬ*ａ*ｂ*値が、各Ｋ'iにおける（Ｃ'Ｍ'Ｙ'）ｋ'iと前記色値（Ｌ*ａ*ｂ*）ｋ'iとの間のプリンタの３次元関係を確立する、前記（２４）記載のファイル。
（２６）外部定義される４次元着色剤（ＣＭＹＫ）を、所与のプリンタの色成分を有する等価な４次元着色剤（Ｃ'Ｍ'Ｙ'Ｋ'）に変換する、前記プリンタのプリンタ制御装置内で使用されるファイルを生成する、コンピュータ使用可能媒体上に実現可能なプログラム製品であって、
前記プリンタの第４の着色剤（Ｋ'）の可変の割合を有する、前記プリンタにより印刷された複数のパッチの各々に対する被測定Ｌ*値を、第１の入力として受信する手段と、
外部定義される前記第４の着色剤（Ｋ）の可変の割合に対して外部定義されるＬ*値を、第２の入力として受信する手段と、
前記第１及び第２の受信された入力にもとづき、整合するＬ*値を決定することにより、外部定義される前記第４の着色剤と前記プリンタの対応する第４の色成分との間の第１の相関を提供する手段と、
外部定義される前記第４の着色剤の可変の割合に相関付けられる対応する前記第４の色成分の可変値において、前記プリンタの他の３つの着色剤の各々の可変の割合の所定の組み合わせを有する、前記プリンタにより印刷されたパッチのマトリックスの各パッチの被測定Ｌ*ａ*ｂ*値を、第３の入力として受信する手段と、
外部定義される前記第４の着色剤の可変値において外部定義される前記他の３つの色成分の可変の割合の組み合わせに対して外部定義されるＬ*ａ*ｂ*値を、第４の入力として受信する手段と、
外部定義される前記第４の着色剤の可変値において外部定義される前記３つの着色剤と、前記プリンタの対応する前記第４の色成分の可変値における、前記プリンタの３つの色成分の対応する組み合わせとの間の前記第１の相関と異なる第２の相関を、前記第３及び第４の受信された入力にもとづき、整合するＬ*ａ*ｂ*値を決定することにより提供する手段と、
を含む、プログラム製品。
【図面の簡単な説明】
【図１】本発明のプロセス・ステップを示す流れ図である。
【図２】本発明のプロセス・ステップを示す流れ図である。
【図３】色変換テーブルを生成するプロセスの流れ図である。
【図４】外部定義された４次元色空間（ＣＭＹＫ）から所与のプリンタの等価４次元色空間（Ｃ'Ｍ'Ｙ'Ｋ'）への、すなわち色変換のためのルックアップ・テーブルを生成するコンピュータ・プログラムの流れ図である。
【図５】印刷システムのブロック図である。
【図６】外部定義された第４の色成分Ｋ及びプリンタの第４の色成分Ｋ'ｐのプロットまたはマッピングを示す図である。
【符号の説明】
１  ペーパ・リール
２  スプライシング・テーブル
３  紙乾燥ローラ
４、１０  紙冷却
５  紙状態センサ
６  スピード・モータ
７  印刷ステーション
８  トップ・ローラ
９  定着器
１１  トルク・モータ
１２  カッタ
１３  スタッカ
１４、２１３  プリンタ制御装置
１８  コンピュータ
１０８  逆変換／補間プログラム
１１０  ルックアップ・テーブル
２１２  色変換ファイル
５０１  領域
【図１】
0003905975.tif 000004
【図２】
0003905975.tif 000005
【図３】
0003905975.tif 000006
【図４】
0003905975.tif 000007
【図５】
0003905975.tif 000008
【図６】
0003905975.tif 000009